Podtech/llm-jp-corpus-v4-ja_patent huggingface dataset:
(57)【要約】【課題】二次元平面切断加工機で、管の穴あけ及びＶ切断等の加工を可能にする方法。【解決手段】二次元平面切断加工機の稼動テーブルの上に滑りとめシートを貼った板を固定し、その上に加工する管を乗せて、管が平行移動しないように管の左右から、不動の構造物に固定した金具に取り付けたベアリングで挟んでおくと、テーブルの移動のたびに管は滑りとめシート上をすべる事無く一定の位置でベアリングに支えられて回転し、テーブルの移動長さと管の回転する円周の長さが等しくなる。その原理を利用すると管の三次元加工が出来る。【選択図】図１
2004283908.tif 000002
【特許請求の範囲】
【請求項１】
二次元平面切断加工機の稼動テーブル上に滑りとめシート８を貼った剛板６を固定して、その上に置いた被加工管２の左右からベアリング５で挟む事を特徴とする管の穴あけ及びＶ切断等の加工方法。
【発明の詳細な説明】
【０００１】
【発明の属する技術分野】
この発明は、二次元平面切断加工機で、管の穴あけ及びＶ切断等の加工方法に関するものである。
【０００２】
【従来の技術】
従来の管加工は二次元平面切断加工機のテーブル上に、図２に示すような管回転機３を乗せ、ノズル１は固定しておき、特別にプログラミングしたＮＣデータにより管回転機３で被加工管２を回転させながら、平面加工機のｘ軸テーブル４をｘ方向すなわち図面の表裏方向に移動さして、被加工管２に穴あけ及びＶ切断等の加工がされていた。
【０００３】
【発明が解決しようとする課題】
しかしながら、以上の従来技術によれば、管回転機等の非常に高価な機械装置が必要で、その取り付け取り外しに大変時間がかり、また、二次元平面切断加工機用のＮＣプログラム以外の管加工専用のプログラムが必要であった。
そこで、この発明は、管回転機等の機械装置等を一切用いずに、二次元の平面切断加工機の稼動テーブルの動きを利用して管を回転さし、管の穴あけ及びＶ切断等の加工を行う方法を課題とする。
【０００４】
【課題を解決するための手段】
以上の課題を解決するために、請求項１の発明は、二次元平面切断加工機の稼動テーブル上に滑りとめシート８を貼った剛板６を固定して、その上に置いた被加工管２の左右からベアリング５で挟む事を特徴とする管の穴あけ及びＶ切断等の加工方法である。
【０００５】
【発明の実施の形態】
この発明の実施の形態を、図１に示す。
平面加工機のｘ軸テーブル４の上に、滑りとめシート８を貼り合せた剛板６を敷きｘ軸テーブル４に固定する、その上に被加工管２を乗せる。
被加工管２はテーブル４がｘ方向に移動してもノズル１の中心軸と被加工管２の中心軸が一致するように、ベアリング５で被加工管２の左右から隙間無く押さえておく。そして、ベアリング支え金具７は、テーブル４に触れることなく不動の構造物に固定しておく。
【０００６】
平面加工機のｘ軸テーブル４がｘ方向に動くと、被加工管２はベアリング５で平行移動を止められているので、ノズル１の中心軸の位置でＲ方向に回転する。
また、滑りとめシート８と被加工管２との摩擦係数は、ベアリング５と被加工管２との摩擦係数に比べて非常に大きいので、被加工管２は滑りとめシート８の上で滑る事は無く、ベアリング５に支えられて滑らかに回転する。
従って、ｘ軸テーブル４がｘ方向に動く直線の長さと、被加工管２がＲ方向に動く周の長さは同じ長さとなる。
すなわち、二次元平面加工機の平面に描かれるはずの切断図形は、裏向きとなって、被加工管２にそっくりそのまま投影されることとなる。
この原理を利用すれば、被加工管２に加工したい形状の平面展開した図形のＮｃコードを作成すれば、被加工管２の穴あけ及びＶ切断等の加工が出来ることになる。
【０００７】
【他の実施形態】
図１の実施形態では、すべりとめシート８であったが、他の実施形態では、ピニオンを被加工管２に嵌めて、ラックを剛板６に固定してもよい。
そうすれば、被加工管２とｘ軸テーブル４とのすべりが完全に無くなる。
又、図１の実施形態では、ベアリング５は直接被加工管２に接触しているが、他の実施形態では、被加工管２にリングを嵌めて、そのリングをベアリング５で支えてもよい。そして、リングの外形を一定にして、リングの内径を被加工管２の外径に合うように加工しておけば、多種類の管２に対して、左右のベアリング５の幅の調節の必要が無くなる。
【０００８】
【実施形態の効果】
この実施形態によれば、ベアリング５と、それを支える金具７、そして滑りとめシート８を用意すれば、簡単に二次元平面切断加工機で、三次元の管の穴あけ及びＶ切断等の加工が可能となる。
【０００９】
【発明の効果】
以上説明したように、この発明によれば、簡単な装置を平面切断加工機に取り付けるだけで、二次元平面切断加工機で、三次元の管の穴あけ及びＶ切断等の加工が出来るので、管を回転する特別な機械装置は要らない。
【００１０】
また、従来の二次元平面加工機用のプログラムで作成したＮＣデーターを用いることが出来きるので、特別なＮＣデータは要らない。
【図面の簡単な説明】
【図１】この発明の一実施形態を示す正面図である。
【図２】従来技術を示す側面図である。
【符号の説明】
１ノズル                    ２  被加工管            ３  管回転機
４平面加工機のｘ軸テーブル  ５ベアリング            ６  剛板
７  ベアリング支え金具      ８  滑り止めシート
【図１】
2004283908.tif 000003
【図２】
2004283908.tif 000004
(57)【要約】      （修正有）【課題】辛味や酸味等の刺激的な味覚を感じることなく摂取できる唐辛子成分含有醸造酢の提供。【解決手段】醸造酢に唐辛子を漬け込みして唐辛子成分を抽出移行させることにより豊富なアミノ酸とカプサイシンを含有させ、次いで薬用カプセルに封入する。【効果】体脂肪の燃焼を促進・増加させ、ダイエットに寄与する。【選択図】なし【特許請求の範囲】
【請求項１】
醸造酢にカプサイシンを抽出移行した溶液を作る。（１）
【請求項２】
（１）を薬用カプセルに封入する。
【発明の詳細な説明】
【０００１】
【従来の技術】
唐辛子を主原料とした調味料の製造方法は、泡盛に所定の期間漬込んだ唐辛子に泡盛を加えた状態でミキサーで磨り潰してペースト状とし、所定の期間熟成させ、アルコールに成分を抽出移行させた製品である。
【０００２】
【発明が解決しようをする課題】
本発明は（０００１）が主に調味料としての利用を目的としているのに対し、醸造酢が本来有する「クエン酸」の体脂肪燃焼作用と相俟って、体脂肪の燃焼効果は相乗される。又（０００１）の調味料としての使用量に対し、本発明の製品は（１）をカプセルに封入することで辛味や酸味などの刺激的な味覚を感じることなく調味料的摂取量に比べて多量に摂ることができる。
【０００３】
【課題を解決するための手段】
（１）は「酸味」の他カプサイシンの「辛味」を濃く保有するのでカプセルに封入することで解消できる。
【０００４】
【発明の効果】
本来醸造酢が有する「クエン酸」の体脂肪燃焼効果に加えて唐辛子の「カプサイシン」の体脂肪燃焼効果が相乗されて、体脂肪の燃焼効果は倍増され、ダイエット効果が期待される。
(57)【要約】【課題】Ｑ熱菌を検出するためのＰＣＲ法として、伸張反応を１サイクルのみしか行わず、しかも鮮明なバンドをつくることを可能とするプライマー。【解決手段】プライマーとして、ＣＢ１（５‘−ＡＣＴＣＡＡＣＧＣＡＣＴＧＧＡＡＣＣＧＣ−３’）とＣＢ２（５‘−ＴＡＧＣＴＧＡＡＧＣＣＡＡＴＴＣＧＣＣ３’）のペアーあるいはＴｒａｎｓ１（５‘ＴＡＴＧＴＡＴＣＣＡＣＣＧＴＡＧＣＣＡＧＴＣ−３’）とＴｒａｎｓ２（５‘ＣＣＣＡＡＣＡＡＣＡＣＣＴＣＣＴＴＡＴＴＣ−３’）のペアーを用いることにより、伸張反応を１サイクルのみの短時間で、Ｑ熱菌に特異的な位置に明確なバンドをつくることを可能にした。【選択図】  なし【特許請求の範囲】
【請求項１】
Ｑ熱菌のＰＣＲ法による検査法としてプライマーの塩基配列がＣＢ１（５‘−ＡＣＴＣＡＡＣＧＣＡＣＴＧＧＡＡＣＣＧＣ−３’）とＣＢ２（５‘−ＴＡＧＣＴＧＡＡＧＣＣＡＡＴＴＣＧＣＣ３’）のペアーを用いた高精度で迅速な検出法である。試料としては、血液、卵、乳汁、糞、塵埃、各種動物臓器・体毛・体液・骨などを用いることができる。
【請求項２】
Ｑ熱菌のＰＣＲ法による検査法としてプライマーの塩基配列がＴｒａｎｓ１（５‘ＴＡＴＧＴＡＴＣＣＡＣＣＧＴＡＧＣＣＡＧＴＣ−３’）とＴｒａｎｓ２（５‘ＣＣＣＡＡＣＡＡＣＡＣＣＴＣＣＴＴＡＴＴＣ−３’）のペアーを用いた高精度で迅速な検出法である。試料としては、血液、卵、乳汁、糞、塵埃、各種動物臓器・体毛・体液・骨などを用いることができる。
【発明の詳細な説明】
【０００１】
【発明が属する技術分野】
本発明は、ＰＣＲ（Ｐｏｌｙｍｅｒａｓｅ  ｃｈａｉｎ  ｒｅａｃｔｉｏｎ）法でＱ熱菌を検出するためのプライマーに関するものである。
【０００２】
【従来の技術】
生卵、生肉あるいは生乳汁などの生食品には、心内膜炎などを引き起こすＱ熱菌（Ｃｏｘｉｅｌｌａ  ｂｕｒｎｅｔｉｌ  コクシェラ・バーネティ）がしばしば生息している。このため、食品を対象としてＱ熱菌に対する検査も行われており、検査法としてはＰＣＲ法が汎用されている。Ｑ熱菌に関するＰＣＲ法は、Ｑ熱菌のＤＮＡのうち、Ｑ熱菌に特異的な塩基配列部分のみを繰り返し伸張合成する反応である。この繰り返し伸張合成した部分を電気泳動にかけ、Ｑ熱菌に特異的な塩基配列の部分を蛍光下で肉眼観察する。しかし、繰り返し伸張反応を行っている間に、目的以外の塩基配列もつくられ、このようなミスあるいは非特異的な塩基配列部分の合成をできるだけ少なくすることが必要になっている。このため、伸張反応を１サイクル行った後、別のプライマーを用いて２サイクル目を行う、いわゆるネステットＰＣＲ法が行われている。このネステットＰＣＲ法は２サイクル行うため、時間と人手がかかる。
【０００３】
【発明が解決しようとする課題】
解決しようとする課題は、ＰＣＲにおいて１サイクルの伸張反応のみでＱ熱菌に対応する明確なバンドをつくるプライマーがないことである。
【０００４】
【問題を解決するための手段】
本発明は、Ｑ熱菌を検出するためのＰＣＲ用プライマーとして、ネステット法のように２サイクル行う必要はなく、１サイクルのみの伸張反応で、特異性が高く、しかも、鮮明なバンドをつくるプライマーである。
【０００５】
【発明の実施の形態】
プライマーとして、ＣＢ１（５‘−ＡＣＴＣＡＡＣＧＣＡＣＴＧＧＡＡＣＣＧＣ−３’）とＣＢ２（５‘−ＴＡＧＣＴＧＡＡＧＣＣＡＡＴＴＣＧＣＣ３’）のペアーあるいはＴｒａｎｓ１（５‘ＴＡＴＧＴＡＴＣＣＡＣＣＧＴＡＧＣＣＡＧＴＣ−３’）とＴｒａｎｓ２（５‘ＣＣＣＡＡＣＡＡＣＡＣＣＴＣＣＴＴＡＴＴＣ−３’）のペアーを用いることにより、１サイクルの伸張反応のみでＱ熱菌に特異的で、しかも、鮮明なバンドをつくることができた。
【０００６】
【実施例１】Ｑ熱菌を検出するためのプライマーとしてＣＢ１とＣＢ２のペアーを用いたＰＣＲ法
【０００７】（Ａ）検体試料および試験方法
イ）試料の調製法
試験管にマヨネーズをとり、リン酸緩衝液（ＰＢＳ）に懸濁した後、この懸濁液を遠心分離した。この沈殿をｐｒｏｔｅｉｎａｓｅＫで処理し、再び遠心分離を行い、沈殿をＰＢＳに溶かしてＰＣＲ用試料液とした。陽性コントロールとしては、Ｑ熱菌・Ｃｏｘｉｅｌｌａ  ｂｕｒｎｅｔｉｉ（コクシェイラ・バーネティ）アメリカ株、Ｎｉｎｅ  Ｍｉｌｅ菌を細胞培養し、この培養液をＰＢＳに懸濁した液を用いた。陰性コントロールとしては、ＰＢＳを用いた。
ロ）ＰＣＲ法
試験管に、水、ＰＢＳ，デオキシヌクレオチド（ｄＮＴＰ）、塩化マグネシウム、ＤＮＡポリメラーセとプライマーであるＣＢ１およびＣＢ２を入れた。この中に、ＰＣＡ用試料液を加え混合した。この混合液を常法のサーモサイクラーでＰＣＲを行った。すなわち、熱変性は９５℃、３０秒、アニーリングは５８℃、３０秒、伸張反応は７２℃、２分間行った。この条件で３０サイクル繰り返し反応を行った。繰り返し反応が終った液をアガロースゲル電気泳動にかけた。この電気泳動したゲルを臭化エチジウム液に浸した後、ＵＶ照射することにより現れたバンドを肉眼観察した。
【０００８】（Ｂ）試験結果および考察
検体としてマヨネーズを用いたＰＣＲの電気泳動のバンドを図１に示した。マヨネーズ１では、陽性コントロールと同じ位置に鮮明なバンドを認めた。一方、マヨネーズ２では、陽性コントロールの位置にバンドは認めなかった。このように、プライマーとしてＣＢ１とＣＢ２のペアーを用いてＰＣＲを行うことにより、マヨネーズなど食品中におけるＱ熱菌の検出を精度よく迅速に検査することを可能にした。
【０００９】
【実施例２】Ｑ熱菌を検出するためのプライマーとしてＴｒａｎｓ１およびＴｒａｎｓ２のペアーを用いたＰＣＲ法
【００１０】（Ａ）検体試料および試験方法
検体試料および試験方法は実施例１に準じて行った。ただし、サーモサイクラーの条件は次のとおりである。熱変性は９４℃、３０秒、アニーリングは６６℃、３０秒、伸張反応は７２℃で１分間行った。
【００１１】（Ｂ）試験結果および考察
検体としてマヨネーズを用いたＰＣＲの電気泳動のバンドを図２に示した。実施例１と同様に、マヨネーズ１では、陽性コントロールと同じ位置に鮮明なバンドを認めた。一方、マヨネーズ２では、陽性コントロールの位置にバンドは認めなかった。このように、プライマーとしてＴｒａｎｓ１とＴｒａｎｓ２のペアーを用いてＰＣＲを行うことによって、マヨネーズなど食品中におけるＱ熱菌の検出を精度よく迅速に検査することを可能にした。
【発明の効果】
上述したとおり、ＰＣＲ用プライマーとしてＣＢ１とＣＢ２のペアあるいはＴｒａｎｓ１とＴｒａｎｓ２のペアを用いることによって、Ｑ熱菌を特異的で精度よくかつ迅速に検出することを可能にした。
【図面の簡単な説明】
【図１】プライマーとしてＣＢ１とＣＢ２のペアを用いてＰＣＲを行った電気泳動の図である。
【図２】プライマーとしてＴｒａｎｓ１とＴｒａｎｓ２のペアを用いてＰＣＲを行った電気泳動の図である。
【図１】
2004283153.tif 000002
【図２】
2004283153.tif 000003
(57)【要約】［課  題］畑作物の植え替えに際して根鉢（苗の根）を崩す事なく定植畝の植え穴に植える事が出来、畑作土の若苗にとって出根しにくい環境を克服し水溝栽培に近い根量を従来作りの畝作土中に発生させる。［解決手段］従来作りの畝作土に生分解性材料からなる綿菓子状培代替資材を埋め、その綿菓子状培土代替資材に根鉢を収納しえる収納穴を設け、その収納穴に苗（根鉢）を納めることを従来の定植作業として植物を栽培する。【選択図】図１
2004283154.tif 000002
【特許請求の範囲】
【請求項１】
育苗後に定植畝の植え穴に定植される植物の定植畝作土への出根誘導用培土代替資材であって、該培土代替資材が無菌、潤沢な酸素を有する根域空間を定植畝作土中に生分解性材料からなる綿菓子状培土代替資材で作る事を特徴とする、前記生分解性材料からなる出根誘導用綿菓子状培土代替資材。
【請求項２】
植物を播種、育苗後苗（根鉢）を定植畝の植え穴に移植することからなる育苗、移植方法において出根誘導用綿菓子状培土代替資材に設けた根鉢収納穴に苗（根鉢）を納める事を特徴とする、前記方法。
【請求項３】
出根誘導用綿菓子状培土代替資材に肥料を含有するか、根鉢収納穴に苗（根鉢）を納める時に肥料を施用することを特徴とする、請求項２に記載の方法。
【請求項４】
出根誘導用綿菓子状培土代替資材が生分解性材料からなる事を特徴とする、請求項２又は３に記載の方法。
【請求項５】
植物が野菜、果菜、花である事を特徴とする請求項２〜４のいずれかに記載の方法。
【発明の詳細な説明】
【０００１】
［発明の属する技術分野］本発明は植物の出根誘導用綿菓子状培土代替資材及び該培土代替資材を用いた植物の移植方法に関する。
【０００２】
［従来の技術］従来の野菜、果菜、花等の畑作栽培は種だけを始めにまとめて播種し発芽させ本葉が１〜２枚くらい展開したら鉢上げと称される重ね合せ可能な略円筒形で底面中央に円の穴の開いた薄いビニールカップに植え替え作業してそのカップで定植畝に定植できる大きさまで苗を育成した後そのビニールカップより苗を取り出し定植畝に掘った植え穴に定植する方法が一般的である。
【０００３】
［発明が解決しようとする課題］この従来法であるとカップから苗（根鉢）を取り出す時の作業性、植え穴に入れる時の根鉢の崩れによる根痛みから起因する数々の障害、切れた根からのウイルス等の感染、培土に馴染みかけた幼根毛根のガサツキ離れによる活着不良等、後々まで成育に悪影響を残す事が問題になっていた。本発明の課題はかかる従来方法の問題点を解消する事にある。
【０００４】
［課題を解決する為の手段］前記のような問題を解消する為本発明はまとめて播種され本葉が１〜２枚の頃の鉢上げ作業時に一回目の根痛み、定植畝の植え穴への定植時に２回目の根痛みを与えていた植物の育苗、移植方法を変換する為の植物出根誘導栽培法である即ちＨ１５年２月２２日提出意匠願いによる育苗ポットを収納し得る根鉢収納穴を備えた生分解性材料からなる綿菓子状培土代替資材を定植畝面と該培土代替資材上面がほぼ同一になる様に定植畝に埋めた後、根鉢収納穴に２月２２日提出意匠願いによる育苗ポットで育成した苗を該育苗ポットごと根鉢収納穴に入れて定植畝への定植とする事を特徴とする、前記出根誘導栽培法に係る
【０００５】
［発明の実施の形態］好適と考える本発明の実施の形態（発明をどのように実施するか）を説明する、従来作りの定植畝に例えば正立方体で中心に根鉢収納用の略円錐状の穴を形成した生分解性材料からなる綿菓子状培土代替資材を定植畝面と該培土代替資材上面をほぼ同一面にして埋める。２月２２日提出意匠願いによる育苗ポットで育成された苗を根鉢収納穴に収納する。又植物の種類によっては近年利用が伸びて来たプラグポットで育成し根鉢の締まったプラグ苗に関してはそのまま該綿菓子状培土代替資材の根鉢収納穴の形状をプラグ苗の根鉢形状と一致させ、該根鉢収納穴にプラグ苗だけを入れて施用する。
【０００６】
［実施例］本発明の具体的な実施例について説明すると図１は綿密度の低い綿菓子状培土代替資材を用いた場合で該培土代替資材を定植畝作土に埋めた場合に周囲の土に崩れ押し縮められる事を防止する為にこうし状の保持板で該培土代替資材を囲った場合であって施用する植物の種類によっては綿密度の低い方が良好に出根する場合が有るが通常は周囲の土に崩れ押し縮められる事の無い堅さの綿密度で十分であり、そのまま定植畝作土に埋めて施用する。
【０００７】
［発明の効果］本発明は上述の様に構成したから従来法による２回にも及ぶ根痛みを受けた生育が  当り前  と認識されている感覚を一新するものである、即ち土床畝中には各種雑菌、連作障害物質、肥料と作土の混合むらによる肥料成分の強弱差等により根勢の未だついていない若苗には出根し難たい環境にある。この出根し難たい環境の反対面である出根し易い環境下である水溝栽培の例のごとく無菌の障害物質も無く１００％均等な肥料成分であれば資料１に示す様に植物は多量の根を発生させる事が出来る、がしかし水溝栽培に於いてこの環境を作り出すには資料２の如く処理に窮する産廃物を生ずるが本発明はそれが無い。本発明によれば根痛みを全く経験していない事による従来にない発根力で該培土代替資材中に水溝栽培の根量の如く出根し根勢、樹勢を増した事により土床栽培における先に記した出根しがたい環境を物ともせずに土床畝中に多量の根を出根させる事が出来る。それにより得られる効果は高品質な作物が収穫できる事に加えて先に記した出根し難い畑作土中の環境を改善する為に多使用されている各種薬剤、農薬を減らし、高価な土壌スチーム消毒機械、接苗作りなどの  負の技術開発  も減らす事につながる。
【０００８】
【図面の簡単な説明】
【図  １】本発明を行う綿密度の低い、綿菓子状培土代替資材をこうし状態の保持板で囲んだ場合の参考使用図
【符号の説明】
１……平成１５年２月２２日提出意匠願い育苗ポット
２……生分解性材料からなる綿菓子状培土代替資材
３……根鉢（苗）収納穴
４……低密度生分解性材料からなる綿菓子状培土代替資材保持用こうし状板
【図１】
2004283154.tif 000003
(57)【要約】【目的】犬などの脱糞時に、密閉可能に設けた回収具に袋を装着し、その袋の口を開いた状態で糞をさせ、終了後に糞回収具の口を閉じて袋を密閉し、糞を回収する。【構成】先端を固着した２枚のバネ板でホルダー部を形成し、軸を中心に開閉自在に設けた開閉金具の片側にＵ型グリップを取付け、当該開閉金具の反対側にホルダー部の板バネを固着して、Ｕ型グリップの動作によりホルダー部を開閉可能に形成する。【選択図】      図１
2004283150.tif 000002
【特許請求の範囲】
【請求項１】
先端を固定したバネ板を開閉可能に設けたホルダー部をＵ型グリップで開閉可能に設け、当該グリップを強く握る事でホルダー部を開き、握る力を緩める事でホルダー部を閉ざし、糞回収袋を密閉可能に形成した糞回収具
【発明の詳細な説明】
【０００１】
【産業上の利用分野】
本発明はペットなどの糞の回収具に関するものである。
【０００２】
【従来の技術】
犬などのペットを飼う人たちは犬の散歩時に糞をさせ、その後始末を持参した合成樹脂の袋等でつかんだりあるいは箸や炭ばさみで摘んだり、持参した小型のスコップなどで地面から掬いとるなどの方法で回収し、そのまま持ち帰って処分するのが一般的である。
【０００３】
【発明が解決しようとする課題】
従来方法ではかなりのペット好きでない限りほとんどの人が糞の後始末はしたくないと思うのが現状であり、その証拠に飼い主による糞の後始末がお座なりな所や、そのまま放置して各地で様々なトラブルの原因となっている。
【０００４】
その理由としては脱糞直後の生暖かく終期の強い糞をしっかり見据えて回収しなければならず、また散歩の時間中ずっとその糞を持ち歩かなければならないため、自覚のない飼い主は無責任に放置する事もしばしばである。
【０００５】
本発明は上述のような、従来様々な問題やトラブルのもととなっていた犬の糞の後始末を簡単で衛生的に行う事ができる糞回収具を提供する事を目的としている。
【０００６】
【課題を解決するための手段】
犬などの脱糞時に、開閉自在に設けてあるホルダー部に市販のポリ袋などを取付け、当該ホルダー部を開いてその上に糞をさせ、済ませたらホルダー部を閉じて袋を密閉し、そのまま糞を回収する。
【０００７】
本発明は従来行われている犬などのペットの糞の後始末を、簡単で衛生的に行う事を目的としてなされたものであり、犬などの持つ決まった場所に於いて糞をするという習性に着目したもので、脱糞時にホルダー部を広げて袋の中に直接糞をさせ、終了後は開口部を閉じてそのまま密閉し、糞を回収するものである。
【０００８】
このような事を繰返して犬などに糞回収具の使用を習慣化させる事で、衛生的でほとんど臭いを嗅ぐ事もなく、また手で糞を触る事もなく地面にも糞のあとを残す事もなく、確実に糞の回収を可能に設けたものである。
【０００９】
【発明実施の形態】
本発明は先端を固着した２枚のバネ板でホルダー部を形成し、軸を中心に開閉自在に設けた開閉金具の片側にＵ型グリップを取付け、当該開閉金具の反対側にホルダー部の板バネを固着して、Ｕ型グリップの動作によりホルダー部を開閉可能に形成したものである。
【００１０】
【作用】
Ｕ型グリップを強めに握る事で開閉金具の先端が開き、ホルダー部のバネ板を押し広げるが、当該バネ板の先端は固着されているためバネ板は元部が開かれるために中間部で屈曲して環状に広がり、握る力を弱めた時はバネ板の復元力でもとに戻り、ホルダー部を閉じる事になる。
【００１１】
【実施例】
実施例について図面をもとに説明すると、図１は本発明の斜視図、図２は動作説明図、図３は使用状態の説明図である。
【００１２】
Ｕ型グリップ１の先端内側にそれぞれクレビス２を取り付ける。
【００１３】
後端に軸孔３を有し、中央部で軸４を中心に開閉可能に設けた開閉金具５を上記Ｕ型グリップ１に軸着する。
【００１４】
当該開閉金具５は、Ｕ型グリップ１が開くと先端部６を閉じＵ型グリップ１が閉じると先端部６が開くように設ける。
【００１５】
２枚のバネ板７を重ね、先端部を固着してホルダー８を形成する。
【００１６】
当該ホルダー８のバネ板７後端を、それぞれ開閉金具５の先端部６に固着するが、この時開閉金具５の先端部６の取り付け部分の長さを、ホルダー８部の約３分の１程度の長さに固着する。
【００１７】
【発明の効果】
本発明の使用に於いては、ホルダー８部に袋９を挟み、容易に外れたり抜け落ちたりしないように袋９の上端部を折り返して固定する。
【００１８】
その後に脱糞しようとする犬１０などの肛門の下に保持してＵ型グリップ１を強めに握り糞をさせると良い。
【００１９】
糞が終わったらグリップ１を握る力を抜くと、バネの作用でホルダー８部が閉じ、袋９を密閉するので、そのまま持ち帰るだけで良い。
【００２０】
当初は馴れないために犬などが糞回収具の使用を嫌がる事もあるが、次第に学習するので糞回収具の使用にも慣れてくる。
【００２１】
このためいやな糞の回収作業が簡単で衛生的になり、誰もが回収を行うようになれる。
【００２２】
従って苦情やトラブルの多かった犬などのペットの糞害から解放され、犬の散歩など気持よく実施出来るものである。
【図面の簡単な説明】
【図１】斜視図
【図２】動作説明図
【図３】使用状態の説明図
【符号の説明】
１    Ｕ型グリップ
２    クレビス
３    軸孔
４    軸
５    開閉金具
６    先端部
７    バネ板
８    ホルダー
９    袋
１０    犬
【図１】
2004283150.tif 000003
【図２】
2004283150.tif 000004
【図３】
2004283150.tif 000005
(57)【要約】【課題】ペットの抜け毛を効果的に捕らえて容易に除去することを得る。【解決手段】各々交互に反対方向に折り曲げた爪３に刃形状部分４を設ける。【選択図】  図１
2004283149.tif 000002
【特許請求の範囲】
【請求項１】
略長方形の台板（１）の下面側に、該台板（１）の長手方向に平行して、等間隔に複数枚の板（２）の上辺部を取り付け、前記板（２）の下辺部に複数個の爪（３）を設けたペットの抜け毛取り器。
【請求項２】
爪（３）の各個の形状を略二等辺三角形とし、該爪（３）の先端部（４）即ち二等辺三角形の頂点に相当する部分を下向きとして、丸みを帯びた形状とし、更に、底辺に相当する辺を起点として、爪（３）を、交互に相反する方向に一定角度に折り曲げ、且つ、該三角形の二等辺に相当する部分に刃形状部分（５）を設けた請求項１記載のペットの抜け毛取り器。
【請求項３】
刃形状部分（５）に設けた刃先（６）を、やや鋭利に保ち、更に、斜面（７）の表面を荒目な状態に形成した請求項１及び２記載のペットの抜け毛取り器。
【発明の詳細な説明】
【０００１】
【発明の属する技術分野】
本発明は、ペットの抜け毛を効率よく収集する器具に関する。
【０００２】
【従来の技術】
従来の抜け毛取り器においては、主に櫛及びブラシ状の物があるが、抜け毛を効率よく取り去る事が難しい面もあった。
【０００３】
【発明が解決しようとする課題】
本発明は、ペットを櫛などで梳かすように本器具を移動させて、爪の刃形状部分で抜け毛を効率的に捕らえることができ、且つ、爪の先端部が丸みを帯びているので、ペットの肌を痛める事がなく、又、爪が平面状となって折り曲げられているので、収集された抜け毛の除去も容易に行える器具を提供する事を目的としている。
【０００４】
【課題を解決するための手段】
上記の目的を達成するために、略長方形の台板の下面側に複数枚の板の上辺部を取り付け、前記板の下辺部に複数個の爪を設けてなるものである。
【０００５】
爪に刃形状部分を設けることによって、この部分で抜け毛を引っ掛けて、効率的に捕らえることができる。即ち、刃形状部分の刃先は、やや鋭利とし、又、斜面は荒目の状態として刃形状部分全体をラフな形状とするとよい。従って、刃形状部分の加工に際して、切断及び切削を行う場合は、切り削られた荒削りの状態のまま加工完了としてもよい。
【０００６】
さらに、本器具を木及び金属材料を用いて制作するほか、合成樹脂材料を用いて一体物として加工することも可能である。
【０００７】
【発明の実施の形態】
発明の実施の形態を実施例にもとづき図面を参照して説明する。
【０００８】
図１、３においては、板２が台板１の下面側に等間隔に取り付けられている。
【０００９】
図２においては、台板１の長辺と板２とが平行となるように板２の上辺部が溝８に取り付けられている。
【００１０】
図４においては、各々の爪３が交互に反対方向に折り曲げられており、爪３の先端部４が丸みを帯びた形状とされ、刃形状部分５に刃先６及び斜面７が設けられている。
【００１１】
図５においては、爪３が平面を保って折り曲げられており、爪３の先端部４が丸みを帯びた形状とされている。
【００１２】
【発明の効果】
本発明は、以上説明したように構成されているので以下のような効果を得ることができる。
【００１３】
本器具をペットの毛並みに沿って梳かすように移動させることにより、刃形部分によって効果的に抜け毛を捕らえることができ、又、捕獲された抜け毛を本器具から除去することも、爪の面が平面であるために容易に行える。更に、爪の先端部が丸みを帯びた形状とされているので、ペットの肌を痛めることがない。
【図面の簡単な説明】
【図１】ペットの抜け毛取り器の斜視図である。
【図２】ペットの抜け毛取り器の要部縦断面図である。
【図３】ペットの抜け毛取り器の要部横断面図である。
【図４】ペットの抜け毛取り器の要部平面図である。
【図５】ペットの抜け毛取り器の要部横断面図である。
【符号の説明】
１    台板
２    板
３    爪
４    爪３の先端部
５    刃形状部分
６    刃形状部分５の刃先
７    刃形状部分５の斜面
８    溝
９    柄
【図１】
2004283149.tif 000003
【図２】
2004283149.tif 000004
【図３】
2004283149.tif 000005
【図４】
2004283149.tif 000006
【図５】
2004283149.tif 000007
(57)【要約】【目的】竹の子は、従来煮物や天婦羅等に使用されているが、竹の子をすりおろすことによって、従来では考えられなかった料理等に使用する事を目的とする。【構成】皮をむき湯がいてから、ミキサーで粉砕してクリーム状にする事でさまざまな事に利用する方法。【特許請求の範囲】
【請求項１】
皮をむき、湯がいた竹の子を水を加えてミキサーで粉砕し、クリーム状とする事で、今まで考えられなかった製品に使用する事。
【発明の詳細な説明】
【０００１】
［産業上の利用分野］      本発明は、竹の子を原料とした製品の製造法に関する。
【０００２】
［従来の技術］      従来、竹の子は、煮物や天婦羅等にそのままの形で使用する事が主で、竹の子をミキサーにかけて、クリーム状にする方法は考えられていなかった。
【０００３】竹の子の皮をむき湯がいたものを切り、水を加えてミキサーで粉砕しクリーム状にする事で、まんじゅうの餡やアイスクリーム、ジャム、ソースなどに利用できる。
また、老人など竹の子をそのままでは食べづらかった人も、クリーム状にする事で食べやすくなり、嫌いな人でも料理の仕方でおいしく食べられる。
（発明名称）おろし竹の子
竹の子は料理に良く煮物、天婦羅などに使われていますが、湯がいてからすりおろしてあんこ、アイスクリーム、ジャム、ソースなどに使用されてはおりません。それで竹の子の風味を出す為にすりおろし竹の子という事を考えました。
その事によって、老人にも食べやすく、竹の子の嫌いな人でも料理の仕方でおいしく食べられます。
作り方
竹の子の皮をむいて湯がいて、ミキサーで粉砕して料理の仕方によってすりおろし竹の子を使い分けられます。
(57)【要約】【目的】小型、軽量で種まきに際し、簡単な操作で種を取りだし、播種することができるハンドタイプの種まき器を提供する。【構成】上部に配置された種子ホッパーの容器に入れた種子が、上板、中板、下板を３枚重ねにした本体フレームの中板の幅の中央部分に嵌め込まれて且つ、摺動可能な種子押し棒が常時スプリング棒で押し出された初期の位置で待機する孔に落下して、その孔の容積により小粒な種子の大きさや数量が決まり、次に前記押し出し棒を所定の位置まで押し込むことにより前進端で、下板の中央部の孔の下部の出口パイプから下方に種子が落下して種まきが終了する。【選択図】    図１
2004283035.tif 000002
【特許請求の範囲】
【請求項１】
種子ホッパーの中に入れた種子が、上板、中板、下板を３枚重ねにした本体フレームの上板の孔から、中板の幅の中央部に嵌め込まれて且つ、摺動可能な種子押し棒が常時スプリングで押し出された初期の位置で待機する孔に落下して、その孔の容積により小粒な種子の大きさや数量が決まり、次に前記押し出し棒を所定の位置まで押し込むことにより前進端で、下板の中央部の孔の下部の出口パイプから下方に種子が落下する種まき器
【発明の詳細な説明】
【０００１】
【発明が属する技術分野】
本発明は、主として小粒な種子を定量ずつ取り出し播種できる種まき器に関するものである。
【０００２】
【従来の技術】
野菜や草花の種は、一カ所に２〜３粒ずつ蒔き生育の良いものを残して間引くことが一般的である。そのため袋などに入っているものを掴み取り、定量を取り出して蒔くことが普通である。
【０００３】しかし、小粒な種子は指の間などにはまり込んだり、指の隙間から落下したりして、定量を所定の位置に播種して行くには熟練を要し、初めて播種する人にとっては要領を得るまでには困難な作業である。
【０００４】
【発明が解決しようとする課題】
本発明は、このような従来の問題点を解決すべく考案されたものであり、その主な目的は、定量の種子を簡単な操作で蒔くことができる種まき器を提供することにある。
【０００５】
【課題を解決するための手段】
種子ホッパーの中に入れた種子が、上板、中板、下板を３枚重ねにした本体フレームの上板の孔から、中板の幅の中央部に嵌め込まれて且つ、摺動可能な種子押し棒が常時スプリングで押し出された初期の位置で待機する孔に落下して、その孔の容積により小粒な種子の大きさや数量が決まり、次に前記押し出し棒を所定の位置まで押し込むことにより前進端で、下板の中央部の孔の下部の出口パイプから下方に種子が落下し種まきが終了することを最も主要な特徴とする。
【０００６】
【発明の実施の形態】
以下、本発明の実施の形態を、図１〜図２を参照して説明する。図１〜図２に示す種まき器は、種子ホッパーの蓋１と、種子ホッパー２と、３枚重ねにした本体フレームからなる上板４と、中板５と、下板６と、中板の中央部に嵌め込まれて且つ、摺動可能なスプリングが付いた押し出し棒７と、押し出された種子が所定の位置に落下できるようにする出口パイプ８からなる。
【０００７】
一部が一方へ延びた種子ホッパー２に入った種子３は、一部が延びた種子ホッパーの端にある本体フレーム４の開口孔９を通り抜け、中央部に嵌め込まれた摺動可能なスプリングが付いた種子押し棒７の貫通孔１０へ入る。種押し棒７を押し出すことによって、本体フレームの下板の出口孔１１まで押し出される事により、出口パイプを通過して種子が落下して、所定の位置に種まきができる。
【図面の簡単な説明】
【図１】本発明に基づく種まき器の全体斜視図
【図２】図１に示す種まき器の分解図
【符号の説明】
１  種子ホッパーの蓋
２  種子ホッパー
３  種子
４  本体フレーム上
５  本体フレーム中板
６  板本体フレーム下板
７  摺動可能な種子押し棒
８  出口パイプ
９  上板開口孔
１０  中板貫通孔
１１  下板出口孔
１２  スプリング
【図１】
2004283035.tif 000003
【図２】
2004283035.tif 000004
(57)【要約】【課題】マイクロリアクターの有する問題点を解決し、簡便な化学反応及び混合方法を提供すること。【解決手段】ピエゾポンプで生じる層流や微小な乱流を利用した化学反応および混合方法と提供する。また、それを応用したマイクロカプセルと微粒子の製造方法を提供する。【選択図】  なし【特許請求の範囲】
【請求項１】
層流や微小な乱流を利用することを特徴とする化学反応および混合方法。
【請求項２】
ピエゾポンプを使用して層流や微小な乱流を作り出すことを特徴とする請求項１に記載の化学反応および混合方法。
【請求項３】
層流や微小な流量の送液装置を利用したマイクロカプセルや微粒子の製造方法。
【請求項４】
ピエゾポンプを使用して層流や微小な液滴を作り出すことを特徴とする請求項３に記載のマイクロカプセルや微粒子の製造方法。
【発明の詳細な説明】
【０００１】
【発明の属する技術分野】
本発明は、層流や微小な乱流を利用した化学反応および混合方法と、それを応用したマイクロカプセルや微粒子の製造方法に関する。
【０００２】
【従来の技術】
近年、新規な機能を有する物質を効率的に製造する方法が活発に検討されている。その中でも、「マイクロリアクター」は、μｍオーダーの微細管の中で液状の化学物質を層流として、あるいは微小な乱流として撹拌、混合、反応させて新規な物質を合成する方法である。従来の合成法と比較して種々の利点がある。例えば、１）単位体積当たりの表面積が大きいため、反応温度の精密な制御が可能であること、２）不均一触媒反応の反応速度が増大すること、３）フロー式反応装置であることから生成物の連続生産が可能になり、かつ、生成物の反応装置内での滞留時間の短縮ができること、４）反応容器部分が微小であることから危険な試薬や合成中間体を系内で効率的に処理できること、５）高温、高圧の合成条件の設定が可能となること等が挙げられる。（例えば、非特許文献１、２参照）
【０００３】
しかし、マイクロリアクターは使用する管が微細なため、管内で化学物質が詰まりやすく、連続運転が困難である問題がある。
【０００４】
一方、ピエゾポンプは、積層型圧電素子によりダイヤグラムを駆動させるポンプである。小型軽量で、液状物質を微小な流量（通常、０．０５μｌ〜１０００μｌ）に制御して安定に吐出できる。種々の型式の物が市販されており、製造装置に応用された例が数件知られているが、化学反応に応用された例は未だ知られていない。（例えば、特許文献１〜７）
【０００５】
【特許文献１】
特開平７−１２８３６号公報
【特許文献２】
特開平７−２１７５３２号公報
【特許文献３】
特開平１１−９０４５８号公報
【特許文献４】
特開２０００−３３７８４０号公報
【特許文献５】
特開２００１−４１１２５号公報
【特許文献６】
特開２００１−２７１７２４号公報
【特許文献７】
特開２００２−２２７８０３号公報
【非特許文献１】
「図解ナノテクノロジーのすべて」工業調査会（株）発行、１５６頁〜１５９頁
【非特許文献２】
「マイクロリアクター；新時代の合成技術」吉田潤一監修、シー・エム・シー出版発行
【０００６】
【発明が解決しようとする課題】
本発明の目的は、簡便な方法で化学物質の層流や微小な乱流を生じさせ、それを利用して化学反応を効率的に行う混合方法を提供すること、さらには微小な液量の送液装置を利用したマイクロカプセルや微粒子の製造方法を提供することにある。
【０００７】
【課題を解決するための手段】
本発明者は鋭意検討の結果、ピエゾポンプを利用して液状化学物質の層流、あるいは微小な乱流を生じさせ、これを化学反応系に応用することにより、マイクロリアクターのような精密な装置を使用せず簡便な方法で化学反応を効率化できること、さらには、簡便な方法でマイクロカプセルや微粒子を製造できることを見いだした。
【０００８】
本発明は、マイクロ化学の特徴である超高効率的な撹拌、混合、反応を、精密で高価なマイクロリアクターを用いることなく、簡便で安価な方法で実施できる特徴を有する。それ故、新しい撹拌、混合、反応システムとして化学反応全般に広く応用できる。また、有機微粒子合成や無機微粒子合成など、生成物が不溶性で反応系から析出する場合においても実施可能であるので、有機顔料や機能性無機材料の合成プロセスにも適用できる。さらに、カプセル合成に関しては、これまで必要とされていた界面活性剤が不要となる利点に加えて、ミクロンオーダーのカプセル粒子を狭い粒径分布で合成することができる利点があり、より簡単で不純物の少ないカプセル合成が可能となり、生体系へのカプセル技術の応用展開をも可能となる。
【０００９】
【発明の実施の形態】
以下、発明の実施のための具体的方法を詳細に説明する。
【００１０】
【実施例】
本発明を実施例によりさらに具体的に説明するが、本発明はその主旨を越えない限り、下記の実施例に限定されるものではない。
【００１１】
実施例１
硝酸銀６８０ｍｇ、およびポリビニルピロリドン（平均分子量約４００００）１．１１ｇを水に溶解して２０ｍｌの水溶液を調製した。次いで、塩化ナトリウム２３２ｍｇとポリビニルピロリドン（平均分子量約４０００）１１．１ｇを溶解させた２００ｍｌの水溶液を穏やかに撹拌させながら、上記の硝酸銀水溶液をピエゾポンプを用いてガラス製のノズル（直径１００μｍ）から微小な液滴状で滴下した。この操作により粒径５０ｎｍ〜８０ｎｍの塩化銀の微粒子が得られた。
【００１２】
実施例２
ヘキサメチレンジアミン５．０ｇ、および水酸化ナトリウム３．５ｇが溶解した水溶液５０ｍｌを内径が１０ｍｍの管状ガラス容器に注ぎ入れる。ピエゾポンプに接続したガラス製のノズル（直径１２０μｍ）を水溶液中に差し入れ、ノズルの先端が水溶液／空気界面下２０ｍｍになるようにセットした。次いで、水溶液を穏やかに攪拌させながら、塩化アジポイル０．７５ｍｌをクロロホルムに溶解して調製したクロロホルム溶液２．０ｍｌをピエゾポンプを駆動してノズルの先端から微小な液滴状として水溶液中に吐出した。吐出された微小な液滴状のクロロホルム溶液は水溶液中を沈降する過程で、水／クロロホルム界面で界面重合反応が進行し、微小な６，６ナイロンカプセル（直径；５０μｍ〜１００μｍ）が得られた。
【００１３】
【発明の効果】
本発明は、マイクロ化学の特徴である超高効率的な撹拌、混合、反応を、精密で高価なマイクロリアクターを用いることなく、簡便で安価な方法で実施できる。特に、微小粒径の粒子、マイクロカプセルを狭い粒径分布で合成することができる。
(57)【要約】【課題】嵩張らない、熱の放散が少なく、軽量で、持ち運びが容易であり、取扱も容易であって、しかも足の出し入れや洗濯も容易な電気足温体を提供する。【解決手段】発熱線８を内設した底生地２上に、２つの足入れ孔４，４を設けた甲部生地３で、底生地２のほゞ全面を覆い、底生地２と甲部生地３との間の足入れ孔４近傍に空間５を設けた【選択図】        図２
2004283481.tif 000002
【特許請求の範囲】
【請求項１】
発熱線を内設した底生地上に、２つの足入れ孔を設けた甲部生地で、底生地のほゞ全面を覆い、底生地と甲部生地との間の少なくとも足入れ孔近傍に空間を設けた扁平電気足温体。
【請求項２】
甲部生地の２つの足入れ孔の間を、２つの足入れ孔にわたって開閉自在とした請求項１記載の扁平電気足温体。
【請求項３】
底生地の下面に外生地を間隔空間を設けて取付け、その間隔空間の一方からヒーターユニットを出し入れ自在に設けた請求項１または２記載の扁平電気足温体。
【発明の詳細な説明】
【０００１】
【発明の属する技術分野】
本発明は、足を温めたい時に用いる扁平状の電気足温体に関する発明である。
【０００２】
【従来の技術】
従来、電熱を用いて足を温める足温体は、単なるマット状のものか、または足を収納する立体状の容器等からなる。（例えば特許文献１、特許文献２、特許文献３、特許文献４参照）
【０００３】
【特許文献１】
実開昭５９−８８６４９号公報（第１図）
【特許文献２】
実開昭６１−２４０２５号公報（第１図）
【特許文献３】
実開昭６３−１８００５５号公報（第１図）
【特許文献４】
実開昭５０−１０９７８１号公報（２頁、図１）
【０００４】
【発明が解決しようとする課題】
本発明は、嵩張らない、熱の放散が少なく、軽量で、持ち運びが容易であり、取扱も容易であって、しかも足の出し入れや洗濯も容易な電気足温体を得るところにある。
【０００５】
【課題を解決するための手段】
本発明は、発熱線を内設した底生地上に、２つの足入れ孔を設けた甲部生地で、底生地のほゞ全面を覆い、底生地と甲部生地との間の少なくとも足入れ孔近傍に空間を設けた扁平電気足温体からなる。
【０００６】
またその場合、甲部生地の２つの足入れ孔の間を、２つの足入れ孔にわたって開閉自在としたり、底生地の下面に外生地を間隔空間を設けて取付け、その間隔空間の一方からヒーターユニットを出し入れ自在に設けた扁平電気足温体からなる。
【０００７】
【発明の実施の形態】
本発明の第１の実施形態を図１〜図４に示す。
【０００８】
本発明の足温体１は、底生地２の上を甲部生地３で覆い、その甲部生地３には両足を入れる２つの足入れ孔４，４を設けている。
【０００９】
したがって、底生地２と甲部生地３との間には足を入れる空間５が形成されることになり、足を足入れ孔４，４から嵌入し、その空間５内に足先を入れる。そして図４の状態で足温を行う。そこで底生地２は、図２に示すように発熱生地６と裏生地７とからなり、その両者の間に発熱線８が介在している。かくして、発熱生地６の裏面には発熱線８が敷設されており、サーモスタット９も当然設けてあり、導電ケース１０が取付けられている。
【００１０】
以上のごとき構成からなるから、この足温体１を使用するときは、発熱線８に通電した状態で、両足を単に足入れ孔４，４に突っ込むだけで空間５内に入れて足温することができる。
【００１１】
次に第２の実施形態を説明する。
【００１２】
この実施形態は、図５と図６に示すものであり、第１の実施形態とは殆ど同じ構成からなる。
【００１３】
第１の実施形態と相違する点は、図５に示すように足入れ孔４と４の間の甲部生地３を分離し、この部分の甲部生地３を上下に重ねるようにした点である。
【００１４】
そのようにすることにより上面生地１１を上方に持ち上げると、足入れ孔４と４の間は足入れ孔４と４と連通する大きい孔を形成することになり、それにより足の出し入れを容易にすることができる。
【００１５】
この場合、この上面と下面が接触する場合に、両者を結合し、上面を上方に剥離するときには容易に上下が離れるように、上面の下側と下面の上側に接着テープ１２、例えばマジックテープ（登録商標）を設けると有効である。このようにして足の足入れ孔４，４への脱着を容易にすることができる。
【００１６】
次に第３の実施形態であるが、それは図７に示すとおりである。
【００１７】
この図７は第１の実施形態の図２に相当する図であって、この図７から明らかなように、第１の実施形態における底生地２の下に更にもう１枚の外生地１３を、底生地２との間に間隔空間１５を形成するように取付け、その間隔空間１５の一方からヒーターを組込んだヒーターユニット１４を出し入れ自在としたのである。
【００１８】
即ち、加温する時にはヒーターユニット１４を間隔空間１５内に挿入して加温し、不使用の時、又は電気足温体を洗浄する時などには、ヒーターユニット１４をその間隔空間１５から抜き取ることができる。
【００１９】
本発明は以上のごとく扁平な座布団のような外観を呈する電気足温体からなるのである。
【００２０】
【発明の効果】
本発明の効果は次に示すとおりである。
１．全体として扁平であるから嵩張らず、スペースをとらないからその整理が容易である。
２．発熱生地６は常に甲部生地３により覆われているから、熱の無駄な放散を防止できる。
３．全体が嵩張らない、平坦で、軽量な生地からできているので持ち運び、取扱が容易である。
４．足は単に足入れ孔４に入れるだけであるから挿入が簡単であり、足の抜き取りも容易であるので、取扱いやすい。
５．発熱体が足温体に一体的な場合は、その洗濯に支障をきたすが、発熱体と一体のヒーターユニット１４を、簡単に足温体内に取付けたり、取り出すことができるので、足温体の洗濯を容易に行うことができ、長持ちさせることができる。
【図面の簡単な説明】
【図１】本発明の一実施形態の電気足温体の平面図である。
【図２】図１のＡ−Ａ断面拡大図である。
【図３】本発明の図１に示す電気足温体で、発熱線の配線状態を示す平面図である。
【図４】図１の電気足温体の使用状態を示す斜視図である。
【図５】本発明の他の実施形態の電気足温体の平面図である。
【図６】図５に示す電気足温体の使用状態を示す斜視図である。
【図７】本発明の他の実施形態の電気足温体の拡大断面図である。
【符号の説明】
１    電気足温体
２    底生地
３    甲部生地
４    足入れ孔
５    空間
８    発熱線
１３    外生地
１４    ヒーターユニット
１５    間隔空間
【図１】
2004283481.tif 000003
【図２】
2004283481.tif 000004
【図３】
2004283481.tif 000005
【図４】
2004283481.tif 000006
【図５】
2004283481.tif 000007
【図６】
2004283481.tif 000008
【図７】
2004283481.tif 000009
(57)【要約】      （修正有）【課題】火災が発生した噴射領域だけを低酸素濃度にして人体への影響を考慮した窒息効果と冷却効果による消火が可能な消火装置の提供。【解決手段】消火装置の消火液の放射により周囲空気とのシールド効果による噴射領域を作り出し、その噴射領域中に低酸素濃度のガス又は空気を放射して噴射領域中を１０％酸素濃度に近づけることにより人体への影響を考慮した消火装置とする。不活性ガスを利用する場合は、放射状態の時に周囲空気を吸引混合する事で低酸素濃度のガスを作り出す事とし、又は酸素と不活性ガスの混合ガスもしくは、低酸素濃度の空気を利用する事とする。【選択図】図１
2004283480.tif 000002
【特許請求の範囲】
【請求項１】
消火装置の消火液（水を含む）の放射を利用して周囲空気とのシールド効果的な噴射領域を作り出し、その噴射領域中に低酸素濃度のガス又は空気を放射して噴射領域中を１０％酸素濃度に近づけることにより人体への影響を考慮した消火装置とする。
【発明の詳細な説明】
【０００１】
【発明が属する技術分野】
窒息効果と冷却効果による消火装置に関するものである。
【０００２】
【従来の技術】
従来技術では、不活性ガスの圧力を利用して霧状の消火用水を作り出す物であり、又は水滴をスプレーする目的に使用されています。この事から同一個所へ不活性ガス及び消火用水を噴射する物であり、窒息効果を利用する為には密閉された空間が必要であり、又密閉された空間全体に見合うガス量が必要となる。
（特開平８−１９６６５６及び実願平７−６２６５参考）
【０００３】
【発明が解決しようとする課題】
人が生存出来る酸素濃度を確保しながら比較的大きな空間でも局所的に窒息効果と冷却効果による消火が可能な消火装置。
【０００４】
【課題を解決するための手段】
本発明は、消火ヘッドによる放射範囲をシールドする様に消火液を噴射して、その噴射領域中を低酸素濃度のガス又は空気で火元を包み込む状態とする事で局所的に窒息効果と冷却効果を作り出す物である。
【０００５】
【実施例】
以下図１に基づいて説明する。
【０００６】
ポンプ式、高架水槽式、水道直圧式、ガス加圧式、他による１の送水装置から２送水用配管より３放射ヘッドに消火液が供給される。及び４ガスボンベから５ガス供給管より３放射ヘッドに不活性ガス、又は不活性ガスと酸素の混合ガス、又は低酸素濃度の空気が供給される。そこで、火災感知によって３放射ヘッドが開放動作となり１送水装置より消火液が放射され、同時に４ガスボンベよりガスが供給される事とする。この時放射されたガスを７シールド噴射領域に包み込む状態で消火液が６消火液の放射範囲を形成する。
放射に使用するガスが不活性ガスの場合は３放射ヘッドより６消火液の放射範囲外の周囲室内空気を吸引混合する事により低酸素濃度の噴射領域を作り出す事とし、低酸素濃度の空気又は、不活性ガスと酸素の混合ガスを使用する場合は、周囲空気を吸引させない事により低酸素濃度の噴射領域を作り出す物である。よって、火災が発生した噴射領域だけを低酸素濃度にする事により短時間で窒息効果と冷却効果による初期消火が可能となる。
【０００７】
【発明の効果】
本発明の消火装置は密閉された空間以外での利用が可能となり使用用途が広がる。また局所的に消火する為ガス量及び消火液量が少なく出来る為小型化が可能となり、建築物以外の乗り物等、他にも広く使用用途が考えられる。
【図面の簡単な説明】
【図１】本発明の系統図
【符号の説明】
１    送水装置
２    送水配管
３    放射ヘッド
４    ガスボンベ
５    ガス供給管
６    消火液の放射範囲
７    シールド噴射領域
【図１】
2004283480.tif 000003